(57)【要約】【課題】  高速応答を可能化にした可変焦点液体レンズ及びその焦点制御方法を提供する。【解決手段】  第１の屈折率を持つ第１の液体１０と、上記第１の液体１０とは異なる第２の屈折率を持ち、上記第１の液体１０と混和しない第２の液体２０を収容した液室４０内に、上記第１の液体１０と上記第２の液体２０の間でレンズ面として機能する界面３０を形成し、超音波振動子８０により上記液室４０内に超音波を放射して、上記液室４０内で上記第１の液体１０と上記第２の液体２０の２液中を超音波を伝搬させることにより、上記第１の液体１０と上記第２の液体２０間で形成される界面３０の形状を変形させて上記レンズ面の焦点を変化させ、上記液室４０内に放射する超音波の放射圧により上記レンズ面の焦点を可変する。【選択図】        図１
2011232506.tif 000002
【特許請求の範囲】
【請求項１】
第１の屈折率を持つ第１の液体と、
上記第１の液体とは異なる第２の屈折率を持ち、上記第１の液体と混和せずに上記第１の液体との間でレンズ面として機能する界面を形成する第２の液体と、
上記第１の液体と上記第２の液体を収容する液室と、上記第１の液体と上記第２の液体間で形成される界面を介して互いに対向する位置に入射窓と出射窓を有する容器と、
上記液室内に超音波を放射して、上記液室内で上記第１の液体と上記第２の液体の２液中を超音波を伝搬させることにより、上記第１の液体と上記第２の液体間で形成される界面を変形させて上記レンズ面の焦点を変化させる超音波振動子と
を備え
上記超音波振動子が上記液室内に放射する超音波の放射圧により上記レンズ面の焦点を可変することを特徴とする可変焦点液体レンズ。
【請求項２】
上記超音波振動子は、上記入射窓又は出射窓に対応する開口を有するリング状の圧電体からなる集束超音波を放射する凹面型超音波振動子であり、上記凹面型超音波振動子の幾何学的焦点位置を上記第１の液体と上記第２の液体間で形成される界面に一致させてなることを特徴とする請求項１記載の可変焦点液体レンズ。
【請求項３】
上記第１の液体として脱気した水と、上記第２の液体としてシリコーンオイルを上記液室に収容し、上記液室内に放射する超音波の放射圧により焦点が可変される可変集束レンズとしたことを特徴とする請求項１記載の可変焦点液体レンズ。
【請求項４】
第１の屈折率を持つ第１の液体と、上記第１の液体とは異なる第２の屈折率を持ち、上記第１の液体と混和しない第２の液体を収容した液室内に、上記第１の液体と上記第２の液体の間でレンズ面として機能する界面を形成し、
上記液室内に超音波を放射して、上記液室内で上記第１の液体と上記第２の液体の２液中を超音波を伝搬させることにより、上記第１の液体と上記第２の液体間で形成される界面を変形させて上記レンズ面の焦点を変化させ、
上記液室内に放射する超音波の放射圧により上記レンズ面の焦点を可変することを特徴とする焦点制御方法。
【発明の詳細な説明】
【技術分野】
【０００１】
本発明は、機械的可動部を有することなく焦点を可変できる可変焦点液体レンズ及びその焦点制御方法に関する。
【背景技術】
【０００２】
従来、焦点距離調整機能を有する顕微鏡や撮像装置、情報記録再生装置等の各種光学装置のレンズ系においては、多くの場合、ネジ等の直動機構を手動や電動（モータ等）により、複数のレンズ間の距離を変化させて焦点距離を変化させて、焦点距離調整を行うようにしていた。
【０００３】
例えば、携帯型電子機器等における撮像部の光学系は、プラスチックレンズと，それを光軸方向に移動させ焦点位置を変化させるためのアクチュエータを組み合わせたものが主流となっている。
【０００４】
これに対し、レンズの位置関係を動かすことなく、例えば電気的な制御信号のみによって焦点距離を変化させることができる可変焦点液体レンズとして、例えば、透明部材の間に２種の液体が挿入され、電圧印加によりエレクトロウェッティング現象を利用して液体界面を変形させるようにしたもの可変焦点液体レンズ（例えば、特許文献１、２参照）や、透明部材と薄板や弾性膜等より成る変形部との間に液体が挿入され、液体に圧力を加えることによって薄膜や弾性膜を変形させるようにした可変焦点液体レンズ（例えば、特許文献３参照）が提案されている。
【先行技術文献】
【特許文献】
【０００５】
【特許文献１】特許第４１５４８５８号公報
【特許文献２】特開２００６−１４５８０７号公報
【特許文献３】特開２００９−２１７２４９号公報
【発明の概要】
【発明が解決しようとする課題】
【０００６】
近年、電子機器のディジタル化の進展とともに、ディジタルスチルカメラが普及してきている。ディジタルスチルカメラにおいて、薄型でコンパクトカメラが市場で求められている。また、携帯電話のカメラ装着率の拡大に伴い、より軽くかつより薄い携帯電話の撮像部のコンパクト化が強く要請されてきている。
【０００７】
しかしながら、ステッピングモータやボイスコイルモータ等のアクチュエータ付レンズは光軸上にレンズを動かす必要があるためレンズモジュールが大きくなる、時間応答性が低い、機械的可動部を有するため、衝撃に弱い、部品数が多いなどの問題点がある。
【０００８】
また、可変焦点液体レンズは、レンズの位置関係を動かすことなく焦点を可変することのできるので、光学系を薄型化するのに適しているのであるが、現状として時間応答性の問題を解決できていない。
【０００９】
そこで、本発明の目的は、上述の如き従来の現状に鑑み、高速応答を可能化にした可変焦点液体レンズ及びその焦点制御方法を提供することにある。
【００１０】
本発明の更に他の目的、本発明によって得られる具体的な利点は、以下に説明される実施の形態の説明から一層明らかにされる。
【課題を解決するための手段】
【００１１】
２種の混ざり合わない液体に超音波が伝搬した場合、超音波の放射圧（音によって発生する静圧）によって、その液体界面がいずれかの方向に凸型に押しやられ、界面が変形する現象が知られているが、これまでに工学的応用例はほとんどみられない。
【００１２】
本発明では、本現象を利用して、超音波振動子、液体、ケースのみで可変焦点液体レンズを構成する。
【００１３】
すなわち、本発明は、可変焦点液体レンズであって、第１の屈折率を持つ第１の液体と、上記第１の液体とは異なる第２の屈折率を持ち、上記第１の液体と混和せずに上記第１の液体との間でレンズ面として機能する界面を形成する第２の液体と、上記第１の液体と上記第２の液体を収容する液室と、上記第１の液体と上記第２の液体間で形成される界面を介して互いに対向する位置に入射窓と出射窓を有する容器と、上記液室内に超音波を放射して、上記液室内で上記第１の液体と上記第２の液体の２液中を超音波を伝搬させることにより、上記第１の液体と上記第２の液体間で形成される界面を変形させて上記レンズ面の焦点を変化させる超音波振動子とを備え、上記超音波振動子が上記液室内に放射する超音波の放射圧により上記レンズ面の焦点を可変することを特徴とする。
【００１４】
本発明に係る可変焦点液体レンズにおいて、上記超音波振動子は、例えば、上記入射窓又は出射窓に対応する開口を有するリング状の圧電体からなる集束超音波を放射する凹面形超音波振動子であり、上記凹面形超音波振動子の幾何学的焦点位置を上記第１の液体と上記第２の液体間で形成される界面に一致させてなる。
【００１５】
本発明に係る可変焦点液体レンズは、例えば、上記第１の液体として脱気した水と、上記第２の液体としてシリコーンオイルを上記液室に収容し、上記液室内に放射する超音波の放射圧により焦点が可変される可変集束レンズとすることができる。
【００１６】
また、本発明は、焦点制御方法であって、第１の屈折率を持つ第１の液体と、上記第１の液体とは異なる第２の屈折率を持ち、上記第１の液体と混和しない第２の液体を収容した液室内に、上記第１の液体と上記第２の液体の間でレンズ面として機能する界面を形成し、上記液室内に超音波を放射して、上記液室内で上記第１の液体と上記第２の液体の２液中を超音波を伝搬させることにより、上記第１の液体と上記第２の液体間で形成される界面を変形させて上記レンズ面の焦点を変化させ、上記液室内に放射する超音波の放射圧により上記レンズ面の焦点を可変することを特徴とする。
【発明の効果】
【００１７】
本発明では、超音波振動子、屈折率の異なる２種類の液体、容器のみで機械的可動部を有することなく焦点を可変することのできる可変焦点液体レンズを構成することができ、従来のアクチュエータ型の可変焦点液体レンズに比べて小型化及び薄型化が可能である。また、駆動源に超音波を用いることにより、従来の可変焦点液体レンズと比べて高速応答可能である。
【００１８】
したがって、本発明によれば、高速応答を可能化にした可変焦点液体レンズ及びその焦点制御方法を提供することができる。
【図面の簡単な説明】
【００１９】
【図１】本発明を適用した可変焦点液体レンズの構成を模式的に示す斜視図である。
【図２】可変焦点液体レンズの超音波振動子を駆動した場合の第１の液体と第２の液体間で形成される界面の変形の様子を測定した結果を示す図である。
【図３】上記可変焦点液体レンズにおける界面の深さ方向の断面の変化、また、超音波振動子の駆動電圧と径方向中心における界面の変化の関係を示す図である。
【図４】上記可変焦点液体レンズにおいて、第２の液体として動粘度２０ｃＳｔのシリコーンオイルを用いた場合について、超音波照射Ｏｎ，Ｏｆｆ時における界面の時間応答を光コヒーレンストモグラフィにより測定した結果を示す図である。
【図５】上記可変焦点液体レンズにおいて、第２の液体として動粘度２００ｃＳｔのシリコーンオイルを用いた場合について、超音波照射Ｏｎ，Ｏｆｆ時における界面の時間応答を光コヒーレンストモグラフィにより測定した結果を示す図である。
【図６】上記可変焦点液体レンズにおいて、第２の液体として動粘度３０００ｃＳｔのシリコーンオイルを用いた場合について、超音波照射Ｏｎ，Ｏｆｆ時における界面の時間応答を光コヒーレンストモグラフィにより測定した結果を示す図である。
【図７】上記可変焦点液体レンズにおいけるシリコーンオイルの動粘度とＯｆｆ時における時定数の関係を示す図である。
【図８】上記可変焦点液体レンズにおいけるシリコーンオイルの動粘度と定常状態に達するまでの応答時間の関係を示す図である。
【図９】上記可変焦点液体レンズによる結像の様子を光軸方向からＣＣＤカメラで撮影した結果を示す図である。
【図１０】上記第２の液体として動粘度２０ｃＳｔのシリコーンオイル用いた可変焦点液体レンズにおいて、Ｈｅ−Ｎｅレーザをレンズ内に通過させて平板に投影した結果を示す図である。
【図１１】上記第２の液体として動粘度２０ｃＳｔのシリコーンオイル用いた可変焦点液体レンズにおいて、Ｈｅ−Ｎｅレーザをレンズ内に通過させて平板に投影した結果得られた径方向の強度分布を示す図である。
【発明を実施するための形態】
【００２０】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２１】
本発明は、例えば図１に示すような構成の可変焦点液体レンズ１００に適用される。
【００２２】
この可変焦点液体レンズ１００は、第１の屈折率を持つ第１の液体１０と、上記第１の液体１０とは異なる第２の屈折率を持ち、上記第１の液体１０と混和しない第２の液体２０を間で形成される界面３０の形状を変化させることにより、焦点が可変制御可能なレンズ面として上記界面３０を機能させるようにしたものであって、上記第１の液体１０と上記第２の液体２０を収容する液室４０と、上記第１の液体１０と上記第２の液体２０間で形成される界面３０を介して互いに対向する位置に入射窓５０と出射窓６０を有する容器７０と、上記液室４０内に超音波を放射する超音波振動子８０とを備える。
【００２３】
上記容器７０は、内径１０ｍｍ，長さ３０ｍｍのアクリル製円筒ケースであって、上記第１の液体１０として脱気した水（屈折率１．３３）と、上記第２の液体２０として疎水性のシリコーンオイルを液室４０に収容している。上記第１の液体１０として用いられる水は、超音波照射時のキャビテーション気泡の発生を防ぐために十分に脱気されている。なお、上記容器７０は、アクリル製である必要はなく、他の材料で形成することもできる。
【００２４】
上記円筒ケースの一端側開口部には、上記超音波振動子８０として例えばチタン酸ジルコン酸鉛（Ｐｂ（ＺｒＴｉ）Ｏ３  ）からなる中央に開口を有するリング状の凹面型集束超音波振動子（厚み１ｍｍ，外形１０ｍｍ，内径３ｍｍ，焦点距離１５ｍｍ）が接着されており、上記凹面型集束超音波振動子の中央開口部が石英ガラスで閉じられた入射窓５０を有する。また、上記円筒ケースの他端側開口部には、石英ガラスで閉じられた出射窓６０を有する。
【００２５】
上記凹面型集束超音波振動子を用いた超音波振動子８０は、周波数が数ＭＨｚの連続正弦波状の電気信号により駆動され、液室４０内に超音波を液体中に放射する。
【００２６】
上記凹面型集束超音波振動子の幾何学射的焦点位置を上記第１の液体１０と上記第２の液体２０間で形成される界面３０と一致させることにより、超音波を集束させ、上記界面３０における音響放射力を増大するようにしている。
【００２７】
このような構成の可変焦点液体レンズ１００において、上記超音波振動子８０により上記液室４０内に超音波を放射して、上記液室４０内で上記第１の液体１０と上記第２の液体２０の２液中を超音波を伝搬させると、上記第１の液体１０と上記第２の液体２０間で形成される界面３０の形状が上記超音波の放射圧により変化する。すなわち、上記液室４０内に放射する超音波の放射圧により上記レンズ面の焦点を可変することができる。
【００２８】
ここで、エネルギー密度の異なる２種の液体間に超音波を照射すると、２液境界面に音響放射力が働くことにより、その境界がいずれかの方向に凸状に変形する。音響放射力は、異なる媒質間の音響エネルギー密度差によって生じる静圧である。超音波の伝搬により２液界面が凸状に変形する進行方向は、音波の伝搬方向に関係なく、エネルギー密度の高い、すなわち、音波の伝搬速度が小さく、密度が小さい媒質から、エネルギー密度の低い、すなわち、音波の伝搬速度が大きく、密度が大きい媒質に向かう方向である。
【００２９】
したがって、この可変焦点液体レンズ１００では、上記第１の液体１０すなわち水よりも上記第２の液体２０すなわちシリコーンオイルの方がエネルギー密度が高いので、超音波を照射により、上記第１の液体１０と上記第２の液体２０間で形成される界面３０は、上記第２の液体２０すなわちシリコーンオイル側から上記第１の液体１０すなわち水側に向かって、凸状に変形する。
【００３０】
この可変焦点液体レンズ１００における光軸は振動子中央部から上記界面３０へ向かう方向であって、上記第１の液体１０と上記第２の液体２０間で形成される界面３０がレンズ面として機能し、上記入射窓５０を介して入射された入射光は、界面３０すなわちレンズ面を通過することにより集束された集束光として上記出射窓６０から出射される。
【００３１】
すなわち、この可変焦点液体レンズ１００では、液体中を伝搬する超音波により、２液体の界面において音響放射力（音によって発生する静圧）が働き、界面はいずれかの方向に凸型に押しやられ変形する。２種の液体の屈折率が異なるので、液体界面は光学レンズとして作用するレンズ面を形成しており、上記超音波振動子８０を駆動する電気信号の信号電圧を制御することにより、超音波の放射圧を変化させて、液界面形状すなわちレンズ面形状をミリメートルオーダで変化させる制御を行うことができる。すなわち、この可変焦点液体レンズ１００は、可変集束レンズとして機能する。
【００３２】
ここで、上記第２の液体２０として動粘度２０ｃＳｔのシリコーンオイル（屈折率１．４００，表面張力２０．６ｍＮ／ｍ）を用いた上記可変焦点液体レンズ１００において、上記超音波振動子８０として用いた凹面型集束超音波振動子の共振周波数である２ＭＨｚの連続正弦波状の電気信号（振幅値０Ｖｐｐ、振幅値６．９Ｖｐｐ、振幅値１４Ｖｐｐ、振幅値１８Ｖｐｐ、振幅値２５Ｖｐｐ、振幅値３１Ｖｐｐ）により上記凹面型集束超音波振動子を駆動した場合の上記第１の液体１０と上記第２の液体２０間で形成される界面３０の変形の様子を光コヒーレンストモグラフィにより測定した結果を図２の（Ａ）〜（Ｆ）に示す。図２の（Ａ）〜（Ｆ）において、観測範囲は超音波の焦点近傍の５×５×３．８ｍｍ３の範囲あり，同図の縦横比は表示の都合上変化させている。また径および深さ方向の分解能はそれぞれ２１μｍ，７．７μｍである。図２の（Ａ）に示すように、音波を照射しない場合の２液界面３０の形状は、２液と円筒容器材質のアクリルの界面張力によって決定されている。そして、図２の（Ｂ）〜（Ｆ）に示すように、２液界面３０は駆動電圧の増加とともに第１の液体１０すなわち水側に向かって凸状に変化している。
【００３３】
また、図３の（Ａ）は、上記２液界面３０の深さ方向の断面の変化を示し、図３の（Ｂ）は、超音波振動子８０の駆動電圧と径方向中心における界面３０の変化の関係を示している。図３の（Ｂ）の縦軸は、超音波を放射しない場合の界面位置からの変位であり、上記凹面型集束超音波振動子の共振周波数である２ＭＨｚ、振幅値３１Ｖｐｐの連続正弦波状の電気信号により上記凹面型集束超音波振動子を駆動した場合、２液界面３０が水側に約２ｍｍ程度凸型に変形している。
【００３４】
上記可変焦点液体レンズ１００において、上記第２の液体２０として動粘度２０ｃＳｔのシリコーンオイル（屈折率１．４００，表面張力２０．６ｍＮ／ｍ）、動粘度２００ｃＳｔのシリコーンオイル（屈折率１．４０３，表面張力２１．１ｍＮ／ｍ）、動粘度３０００ｃＳｔのシリコーンオイル（屈折率１．４０３，表面張力２１．３ｍＮ／ｍ）を用いた場合について、超音波照射Ｏｎ，Ｏｆｆ時における２液界面３０の時間応答を光コヒーレンストモグラフィにより測定した結果を図４〜図６に示す。測定箇所は径方向中心の界面である。
【００３５】
上記第２の液体２０として動粘度２０ｃＳｔのシリコーンオイル（屈折率１．４００，表面張力２０．６ｍＮ／ｍ）を用いた可変焦点液体レンズ１００では、図４の（Ａ）に示すように、ｔ＝０ｓにおいて振動子に電圧を印加することにより２液界面３０が動き始めて、駆動電圧によって過渡状態の長さは異なるものの、減衰振動を繰り返した後およそｔ＝０．２５ｓで定常状態に達し、また、図４の（Ｂ）に示すように、ｔ＝０ｓにおいて、振動子の駆動電圧をＯｆｆにすると、同様に減衰振動後のおよそｔ＝０．４ｓで界面の動きは止まる。
【００３６】
図４の（Ａ），（Ｂ）を比較すると、Ｏｎ時においては２液の界面張力による復元力に加えて音響放射力が作用するため、復元力のみが作用するＯｆｆ時に比べると過渡応答が早くなっており、２液界面３０の過渡応答は音響放射力と２液の物性に依存する復元力とのバランスによって異なる。
【００３７】
図４の（Ａ），（Ｂ）に示す上記第２の液体２０として動粘度２０ｃＳｔのシリコーンオイル用いた場合の２液界面３０の過渡応答と、図５の（Ａ），（Ｂ）に示す上記第２の液体２０として動粘度２００ｃＳｔのシリコーンオイル用いた場合の２液界面３０の過渡応答と、図６の（Ａ），（Ｂ）に示す上記第２の液体２０として動粘度３０００ｃＳｔのシリコーンオイル用いた場合の２液界面３０の過渡応答とを比較すると、シリコーンオイルの動粘度によって過渡応答が著しく変化している。
【００３８】
これらの結果から得られたシリコーンオイルの動粘度とＯｆｆ時における時定数、および定常状態に達するまでの応答時間の関係を図７、図８に示すように、用いた３種のシリコーンオイルの表面張力は、２０．６ｍＮ／ｍ〜２１．３ｍＮ／ｍであってわずかに異なるものの、動粘度と時定数はほぼ比例関係である。
【００３９】
すなわち、界面変形時においては、液界面に働く音響放射力は、変位量と２液の界面張力の積で表される復元力と釣り合う。また、過渡応答の時定数は、界面張力に逆比例し、粘性に比例する。
【００４０】
また、Ｏｎ，Ｏｆｆ時共に応答時間に対して動粘性は最適値を持ち、上記第２の液体２０として動粘度２０ｃＳｔのシリコーンオイル用いた場合、Ｏｎ，Ｏｆｆ時の最小応答時間はそれぞれ４０ｍｓ，８０ｍｓであった。
【００４１】
また、上記可変焦点液体レンズ１００による結像の様子を光軸方向からＣＣＤカメラで撮影した結果を図９の（Ａ）、（Ｂ）に示す。図９の（Ａ）は、上記凹面型集束超音波振動子により超音波を放射しない状態における上記可変焦点液体レンズ１００による結像の様子を示し、図９の（Ｂ）は、上記凹面型集束超音波振動子により超音波を放射している状態における上記可変焦点液体レンズ１００による結像の様子を示している。
【００４２】
さらに、上記第２の液体２０として動粘度２０ｃＳｔのシリコーンオイル用いた上記可変焦点液体レンズ１００において、Ｈｅ−Ｎｅレーザをレンズ内に通過させ、２液界面３０を変形することにより集光した結果を図１０、図１１に示す。図１０の（Ａ）、（Ｂ）は、超音波照射Ｏｎ，Ｏｆｆ時（駆動電庄０，３１Ｖ）における透過光を平板に投影した結果を示し、図１１は、その径方向の強度分布を表している。透過光はレンズ先端から１０ｍｍの位置において，径０．４ｍｍのピンホール付受光器を径方向に走査して測定した。
【００４３】
この可変焦点液体レンズ１００は、超音波の作用により焦点が変化する可変集束レンズとして働いている。
【００４４】
すなわち、上記可変焦点液体レンズ１００では、第１の屈折率を持つ第１の液体１０と、上記第１の液体１０とは異なる第２の屈折率を持ち、上記第１の液体１０と混和しない第２の液体２０を収容した液室４０内に、上記第１の液体１０と上記第２の液体２０の間でレンズ面として機能する界面３０を形成し、上記液室４０内に超音波を放射して、上記液室４０内で上記第１の液体１０と上記第２の液体２０の２液中を超音波を伝搬させることにより、上記第１の液体１０と上記第２の液体２０間で形成される界面３０の形状を変形させて上記レンズ面の焦点を変化させ、上記液室４０内に放射する超音波の放射圧により上記レンズ面の焦点を可変することができる。
【００４５】
上記可変焦点液体レンズ１００は、超音波振動子８０、屈折率の異なる２種類の液体１０，２０、容器７０のみで機械的可動部を有することなく焦点を可変することができ、従来のアクチュエータ型の可変焦点液体レンズに比べて小型化及び薄型化が可能である。また、駆動源に超音波を用いることにより、従来の可変焦点液体レンズと比べて高速応答可能である。
【００４６】
なお、上記可変焦点液体レンズ１００では、上記超音波振動子８０として凹面型集束超音波振動子を上記円筒ケースの一端側開口部に設けたが、超音波の伝搬により２液界面が凸状に変形する進行方向は、音波の伝搬方向に関係なく、エネルギー密度の高い、すなわち、音波の伝搬速度が小さく、密度が小さい媒質から、エネルギー密度の低い、すなわち、音波の伝搬速度が大きく、密度が大きい媒質に向かう方向であるから、上記円筒ケースの他端側開口部に設けるようにしても良い。また、上記超音波振動子８０は、凹面型集束超音波振動子である必要はなく、リング状又は筒状の超音波振動子等を用いることできる。
【００４７】
また、上記可変焦点液体レンズ１００では、上記第１の液体１０として脱気した水と、上記第２の液体２０として疎水性のシリコーンオイル（動粘度２０ｃＳｔ）を液室４０に収容したが、水と疎水性のシリコーンオイルの組み合わせのみに限定されるものでなく、第１の液体１０と第２の液体２０とは互いに屈折率が異なり混和せずにレンズ面として機能する界面３０を形成する２種類の液体であればよく、エレクトロウェッティング効果を利用する液体レンズに使用される２種類の液体を収容するようにしても良い。
【００４８】
なお、上記可変焦点液体レンズ１００では、液体１０，２０の間でレンズ面として機能する界面３０を形成し、上記液室４０内に超音波を放射して、上記液室４０内で上記第１の液体１０と上記第２の液体２０の２液中を超音波を伝搬させることにより、上記第１の液体１０と上記第２の液体２０間で形成される界面３０を変形させて上記レンズ面の焦点を変化させ、上記液室４０内に放射する超音波の放射圧により上記レンズ面の焦点を可変するので、エレクトロウェッティング効果を利用する液体レンズのように、イオン導電性の液体と絶縁性の液体の組み合わせる必要はない。
【符号の説明】
【００４９】
１０  第１の液体、
２０  第２の液体、
３０  界面、
４０  液室、
５０  入射窓、
６０  出射窓、
７０  容器、
８０  超音波振動子、
１００  可変焦点液体レンズ
【図１】
2011232506.tif 000003
【図２】
2011232506.tif 000004
【図３】
2011232506.tif 000005
【図４】
2011232506.tif 000006
【図５】
2011232506.tif 000007
【図６】
2011232506.tif 000008
【図７】
2011232506.tif 000009
【図８】
2011232506.tif 000010
【図９】
2011232506.tif 000011
【図１０】
2011232506.tif 000012
【図１１】
2011232506.tif 000013